(57)【特許請求の範囲】
【請求項１】
次の諸要素、すなわち、
下方領域において接地体（１２，１１２）が一体化された下部要素（１１，１１１，２１１，３１１）であって、少なくとも上方領域において透湿性である要素と穿孔された要素との間で選択されている下部要素（１１，１１１，２１１，３１１）、
透湿性のかつ／または穿孔された上部要素（１３，１１３）、
前記下部要素（１１，１１１，２１１，３１１）と前記上部要素（１３，１１３）との間に介在された透湿性・防水性膜（１６，１１６，２１６，３１６）であって、この膜と前記下部要素（１１，１１１，２１１，３１１）と前記上部要素（１３，１１３）とが相互接触の周辺領域において密閉状に接合されている透湿性・防水性膜（１６，１１６，２１６，３１６）、
の組み合わせを備えてなり、特にサンダルおよびサボのような開放靴用であるがこれに限定されない靴用の透湿性・防水性底革であって、
前記上部要素（１３，１１３）は、透湿性のかつ／または穿孔された材料から作られている、前記底革に適合する足裏に接するための第１層（１３ａ）と、この第１層（１３ａ）の下方に配置され、かつ、３次元生地から作られ、少なくとも１つの透湿性快適層（１４，１１４）によって構成された第２層と、前記透湿性快適層（１４，１１４）の下方に設けられている第３層（２０）とからなることを特徴とする靴用底革。
【請求項２】
前記第３層（２０）は、足裏に関して解剖学的に輪郭が合わされているとともに、透湿性のかつ／または穿孔されたものであり、前記透湿性快適層（１４，１１４）は、前記第３層（２０）よりも小さい平面寸法を有しているとともに、前記第３層（２０）に関して中心に形成された相補的な平坦空洞の内側に配置されていることを特徴とする請求項１に記載の靴用底革。
【請求項３】
前記底革の硬さを調整するための穿孔されたあるいは透湿性の第４層（２１）が、前記第３層（２０）の下方に設けられていることを特徴とする請求項１または２に記載の靴用底革。
【請求項４】
互いに連続して配置された２つの透湿性快適層（１４，１１４）を備えていることを特徴とする請求項１〜３のいずれか１つに記載の靴用底革。
【請求項５】
前記第１層（１３ａ）は、穿孔されたなめし革から作られていることを特徴とする請求項１〜４のいずれか１つに記載の靴用底革。
【請求項６】
前記第３層（２０）は、前記底革の拡張部分に対して実質的に直角に穿孔された発泡材料から作られていることを特徴とする請求項１〜５のいずれか１つに記載の靴用底革。
【請求項７】
前記第１層（１３ａ）は、前記第２層（１４）の端縁の周りをくるむように外方へ折り曲げられていることを特徴とする請求項１〜６のいずれか１つに記載の靴用底革。
【請求項８】
前記第１層（１３ａ）は、前記第３層（２０）の前記側方縁部の端縁の周りをくるむように外方へ折り曲げられていることを特徴とする請求項１〜７のいずれか１つに記載の靴用底革。
【請求項９】
前記３次元生地は、エアーメッシュ型のものであることを特徴とする請求項１〜８のいずれか１つに記載の靴用底革。
【請求項１０】
前記３次元生地は、針穿孔型のものであることを特徴とする請求項１〜８のいずれか１つに記載の靴用底革。
【請求項１１】
前記下部要素（１１１）の上部の平面拡張部分に沿って１つの部分（１１７，２１７，３１７）があり、その部分には、前記底革（１００，１００ａ，２００，３００，４００，５００，６００）の外側とその部分（１１７）の内側との間に側方通気用要素（１０６，２０６）が設けられ、この側方通気用要素（１０６，２０６）は前記膜（１１６，２１６，３１６）に機能的に接合されていることを特徴とする請求項１〜１０のいずれか１つに記載の靴用底革。
【請求項１２】
前記部分（１１７）は、その中心部に、端縁（１１７ｂ）によって密閉状に区切られた中空領域（１１７ａ，２１７ａ）を有し、前記側方通気用要素（１０６，２０６）は、前記端縁（１１７ｂ）に形成されているとともに、前記中空領域（１１７ａ，２１７ａ）の内側と前記底革（１００，１００ａ，２００，３００，４００，５００，６００）の外側との間における機能的連通のための貫通状通気用通路（１０７）によって構成されていることを特徴とする請求項１１に記載の靴用底革。
【請求項１３】
層状の格子型要素（１２０）が、前記中空領域（１１７ａ）の内側に配置され、空洞を形成しているとともに、底革の拡張部分に対して実質的に直角に穿孔されていることを特徴とする請求項１２に記載の靴用底革。
【請求項１４】
透湿性要素（１２０ａ）が、前記中空領域（１１７ａ）の内側に配置されていることを特徴とする請求項１２に記載の靴用底革。
【請求項１５】
突出部（２２０ａ）が、前記中空領域（２１７ａ）の内側から、前記底革（２００）の拡張部分に対して実質的に直角に延びており、前記突出部（２２０ａ）は、前記中空領域（２１７ａ）の深さに実質的に等しい高さがあることを特徴とする請求項１２に記載の靴用底革。
【請求項１６】
前記下部要素（３１１）の前記上方部分（３１７）は、前記上方部分（３１７）の横方向拡張部分の全体に沿って広がった対応する透湿性層状要素（３２０）によって構成されていることを特徴とする請求項１２に記載の靴用底革。
【請求項１７】
前記下部要素（１１，１１１，２１１，３１１）は、前記底革の拡張部分に対して実質的に垂直である複数の貫通孔（１５，４１５，５１５，６１５）を有していることを特徴とする請求項１〜１６のいずれか１つに記載の靴用底革。
【請求項１８】
保護要素（１８，１１８，２１８，３１８）が、前記下部要素（１１，１１１，２１１，３１１）へ差し向けられかつ耐加水分解性、撥水性、透湿性あるいは穿孔された面で前記膜（１６，１１６，２１６，３１６）に接合され、前記保護要素（１８，１１８，２１８，３１８）には、前記膜（１６，１１６，２１６，３１６）と同じ平面寸法があることを特徴とする請求項１〜１７のいずれか１つに記載の靴用底革。
【請求項１９】
前記下部要素（１１，１１１，２１１，３１１）と前記上部要素（１３，１１３）とは、さまざまな構成要素層のスポット接着剤接合あるいは周辺接着剤接合によって固定されていることを特徴とする請求項１〜１７のいずれか１つに記載の靴用底革。
【請求項２０】
請求項１〜１９のいずれか１つに記載の底革を備えていることを特徴とする、特にサンダルおよびサボのような開放型用であるがこれに限定されない靴。
【発明の詳細な説明】
【技術分野】
【０００１】
この発明は、特にサンダル、サボなどのような開放靴用であるがこれに限定されない靴用の透湿性・防水性底革に関するものである。この発明は前記底革で設けられた靴にも関するものである。
【背景技術】
【０００２】
靴の快適性は、適正な解剖学的適合だけでなく、「湿り足」現象を回避するために、発汗に起因して靴の内部で生成された水蒸気の適正な外方透過にも関連がある、ということが知られている。
【０００３】
水蒸気のこの透過は、しかしながら、靴の防水性を損なうものであってはならず、それゆえ、甲革へのあるいは底革への水蒸気透過を委ねる解決法が研究されてきた。
【０００４】
甲革に関しては、透湿性・防水性材料から作られた甲革の備わった靴がある。しかしながら、この種の靴によれば、水蒸気透過の問題、すなわち発汗の間に汗が足から蒸散して足を冷やすという事実から生じる「湿り足」問題は効果的に解決されない。もし、蒸散が妨げられると、汗は凝縮して足を湿ったままにする。
【０００５】
足の汗の大部分は、足の裏と靴の底革との界面に由来しており、ここで生成された汗は、蒸散することができず、そのため、足が置かれている足底要素の上に凝縮することが明らかである。汗の微小部分だけは、前記甲革が最小限まで小さくされているときであっても、その甲革を通して蒸散する。
【０００６】
この問題への解決法は、透湿性・防水性底革によってもたらされ、従って、足の裏で発生した汗の透過を可能にする。これらの解決法の１つは、同一の出願人による米国特許第５，０４４，０９６号およびヨーロッパ特許第０３８２９０４号に開示されており、底革を貫通孔の備わった２つの層に分割することと、不透水性・透湿性であってこれら２つの層に周辺で密閉状に接合される膜を介在させることとからなっている。
【０００７】
この解決法の変形例は、すべてがどのような場合にも、底革を２つの層に分割して防水性・透湿性の膜を介在させる際に集められる、その後の特許に開示されている。
【０００８】
足の汗の大部分は足の裏と靴の底革との界面に由来しているという事実を考慮すると、「湿り足」問題は、サンダル、サボ、海辺用ミュールなどのような開放靴においても無視できない。これらの種類の開放靴は一般に、足挿入領域の周りを部分的にだけくるむ甲革によって、かつ、多重層の底革によって構成されている。
【０００９】
上部から下方について言えば、そのような多重層の底革は第１層を備えており、この第１層は、足に直接接するとともに、一般になめし革あるいは合成材料から作られている。このような層が非透湿性材料（例えば海辺用ミュールのような）から作られているときには、汗はすぐに凝縮して、足にほとんど瞬時に湿気の感覚が残される。この層が何らかの吸収性能の備わった透湿性材料から作られているときには、足は、そのような層が汗で含浸されるまで乾燥状態にとどまる。
【００１０】
第１層の下方には第２層があり、この第２層は、一般に解剖学的に輪郭が合わされて、かつ、一般にポリウレタン、コルク、木、膨張ゴム、その他のような発泡すなわち緻密性の材料から作られている。最後に接地体があり、この接地体は、地面に接するとともに合成材料（ゴム、ポリウレタン）、天然材料（なめし革）、あるいは混成材料から作ることができる。さまざまな層が、接着剤によって、あるいは代わりの方法としての、ポリマー材料からなるさまざまな層を他の層を覆って射出成形することによって、接合される。
【００１１】
第２層の下方には、それが柔軟性材料あるいは低粘度材料から作られているときには、支持層があるが、この支持層は、接地体とこの支持層との間で甲革のフラップを接着剤で接合することのできる剛性と硬さとをもたらすためのものである。
【００１２】
いくらかの快適度を有していなければならない開放靴については、支持用足底要素（あるいは中底）が充分に柔軟であるとともに解剖学的に輪郭の合うものであることは重要である。このことは、第２層については（また必要であれば第３層についても）、足を収容するとともにその足裏を取り囲むために、「スポンジ」などのような柔軟性材料を使用する必要性につながる。しかしながら、この取り囲みによって、足の皮膚と足が置かれている足底要素との間における空気の適正な循環が妨げられ、足裏から放散することのできないほとんど即時の凝縮につながる。
【００１３】
さらにまた、足は熱を周囲材料へ伝達するが、この周囲材料は、熱を保有するとともに、足をさらに過熱する「詰物」効果を作り出す。剛性の足底要素が使用されているときには、足には、前記足底要素に接していっそう良好な通気と最適な足の冷却とを可能にする箇所がほとんどないであろう。それゆえ、足底要素の剛性が増大すれば（また、それゆえ、靴の快適性が減少すれば）、足のさわやかさは増大する。逆に、足底要素の剛性および硬さが低ければ低いほど（また、それゆえ、靴の快適度が高ければ高いほど）、「汗臭い足」効果が強くなる。
【００１４】
そのうえ、すでに言及したように、足の下方の層における透湿性の欠乏は、足裏におけるほとんど即時の凝縮につながる。この透湿性の欠乏は、（とりわけ接地体のために）使用された材料の種類とさまざまな層を接合する接着剤の被膜との両方に起因している。
【００１５】
解剖学的に輪郭が合わされた柔軟性足底要素が設けられた開放靴における「汗臭い足」効果の原因は、それゆえ、３つの観点に要約されるが、これらの観点は、足裏と足底要素との間における空気の適正な再循環を妨げる、解剖学的に輪郭が合わされた層による足の取り囲みと、この取り囲みによって引き起こされた「詰物」効果と、接地体の方向における汗の透過性の欠乏とである。
【発明の開示】
【発明が解決しようとする課題】
【００１６】
この発明の目標は、公知の型に集まった問題を解決することのできる、特にサンダル、サボなどのような開放靴用であるがこれに限定されない靴用の透湿性・防水性底革を提供することにある。
【００１７】
この目標の範囲内で、この発明の重要な目的は、適合性の点と足裏の透湿性の点との両方に関して快適である、特にサンダル、サボなどのような開放靴用であるがこれに限定されない靴用の透湿性・防水性底革を提供することにある。
【００１８】
この発明の別の重要な目的は、足についての快適性の諸特性を維持するとともに足に関する詰物効果を低減する、特にサンダル、サボなどのような開放靴用であるがこれに限定されない靴用の透湿性・防水性底革を提供することにある。
【００１９】
この発明の別の目的は、足裏の皮膚と支持用足底要素との間における空気の適正な再循環を可能にする、特にサンダル、サボなどのような開放靴用であるがこれに限定されない靴用の透湿性・防水性底革を提供することにある。
【００２０】
この発明の別の目的は、適合性の点と足裏の透湿性の点との両方に関して快適である、特にサンダル、サボなどのような開放型用であるがこれに限定されない透湿性・防水性底革の備わった靴を提供することにある。
【課題を解決するための手段】
【００２１】
この目標、これらの目的、および後にいっそう明らかになる他の目的は、
次の諸要素、すなわち、
下方領域において接地体が一体化された下部要素であって、少なくとも上方領域において透湿性である要素と穿孔された要素との間で選択されている下部要素、
上部の透湿性のかつ／または穿孔された要素、
前記下部要素と前記上部要素との間に介在された透湿性・防水性膜であって、この膜と前記下部要素と前記上部要素とが相互接触の周辺領域において密閉状に接合されている透湿性・防水性膜、
前記下部要素にかつ／または前記上部要素に含まれているとともに３次元生地から作られており、通気用間隙を形成している少なくとも１つの透湿性快適層
の組み合わせを備えてなることを特徴とする、特にサンダル、サボなどのような開放靴用であるがこれに限定されない靴用の透湿性・防水性底革によって達成される。
【００２２】
この発明が前記底革で設けられた靴を含んでいるのは好都合である。
【００２３】
この発明のさらに別の特徴および利点は、添付図面における非限定的な例によって図解された、好ましいが排他的ではないそのいくつかの実施形態の説明からいっそう明らかになる。
【発明を実施するための最良の形態】
【００２４】
図によれば、この発明に係る底革の第１実施形態は、参照符号１０で全体が表されている。前記底革１０は、以下でいっそう明らかになるように、地面に接するための接地体１２が下方領域において一体化されている下部要素１１と、この実施形態では透湿性層および穿孔層から構成されている上部要素１３とを備えてなる。
【００２５】
以下でいっそう詳しく説明される３次元生地から作られた透湿性快適層１４が、前記透湿性層と前記穿孔層との間に設けられている。この実施形態では、下部要素１１には、前記底革の拡張部分に対して実質的に垂直である複数の貫通孔１５がある。下部要素１１と上部要素１３との間には透湿性・防水性膜１６が介在されている。膜１６、下部要素１１および上部要素１３は、相互接触の周辺領域において本質的に公知の方法で密閉状に接合されている。さらに詳しくは、下部要素１１の上部には、膜１６が内側に配置された実質的に平坦な受座１７がある。
【００２６】
耐加水分解性、撥水性、透湿性のあるいは穿孔された材料の層によって構成された保護要素１８が、下部要素１１へ差し向けられた前記膜の面に接合されている。この保護要素１８には膜１６と同じ平面寸法がある。平面図において膜１６によって占有された区域は、下部要素１１および上部要素１３を通して形成された貫通孔によって占有された区域と同じである。
【００２７】
上部要素１３は、実質的に膜１６の上方に配置されているとともに、以下に説明するように、すべてが透湿性のあるいは穿孔されたものである多重層から構成されている。上部要素１３の上部層は、透湿性のかつ／または例えば穿孔なめし革のような穿孔された材料から作られた第１層１３ａからなっている。
【００２８】
この第１層１３ａの下方には第２層が設けられており、この第２層は、３次元生地から作られたごく透湿性の快適層１４に重なっているかあるいは快適層１４である。前記３次元生地には通気用間隙１９が形成されているが、この間隙１９は人間の体重によって一部だけ変形して、間隙の全体つぶれが防止されるので、通気用空間が常に維持される。
【００２９】
製靴業界用語において「メッシュ」として知られたメッシュ型の透かし細工生地が、とりわけ運動靴における透湿性甲革あるいは内部裏張りとして製造されて使用されている。針穿孔要素をメッシュ生地に結合しかつ「エアーメッシュ」として知られた生地が、前記メッシュ生地の派生物として知られている。この実施形態では、前記透湿性快適層１４の３次元生地は、エアーメッシュ型のものであるか、あるいはどんな場合でも適切な強度の針穿孔生地である。
【００３０】
前記透湿性快適層すなわち第２層１４の下方には第３層２０が設けられているが、この層は、足裏に関して解剖学的に輪郭が合わされており、かつ、例えば、底革１０の拡張部分に対して実質的に直角に穿孔された発泡材料から作られている。具体的に言えば、透湿性快適層１４は、前記第３層２０よりも小さい平面寸法を有しており、かつ、前記第３層に関して中心に設けられた相補的な平坦空洞の内部に配置されている。
【００３１】
この実施形態では、第４層２１が、第３層２０の下方に設けられ、かつ、底革の拡張部分に対して直角に穿孔されているが、この第４層２１は、上部層が上部要素１３の全体の適切な剛性あるいは硬さを保証することができないときに必要であり、それゆえ、他の実施形態では随意的なものである。
【００３２】
相異なる実施形態（図には示されていない）では、前記第４層２１は、穿孔されている代わりに透湿性のあるものであってもよく、また、例えば第２の透湿性快適層１４と第３層２０と間のような他の位置に配置することもできる。さらにまた、前記第４層２１は、第２層１４および第３層２０に関して突出するように設けられているときには、外側のどのような縫い目も可能にするように使用することができる。
【００３３】
第１層１３ａのなめし革は、第２層１４の端縁の周りをくるむことによって、あるいは、いわゆる「こまごました」足底要素の場合のように、必要であれば第３層２０の側方縁部の周りをくるむことによって底革を適合させるように、外方へ差し向けられている。
【００３４】
この発明に係る底革の第２実施形態は、図３に示されており、参照符号１００で表されている。第１実施形態と同様に、前記底革１００は、地面に接するための接地体１１２が下方領域において一体化されている下部要素１１１と、上部要素１１３とを備えてなる。この上部要素１１３は、第１実施形態に示された底革１０のそれらと類似した複数の層から構成されている。
【００３５】
透湿性快適層１１４が、前記の複数層の間に設けられ、通気用間隙１１９を形成する３次元生地から作られているが、この間隙１１９は人間の体重によって一部だけ変形して、間隙の完全なつぶれが防止されるので、通気用空間が常に維持される。この実施形態においても、３次元生地は、エアーメッシュ型のものであるか、あるいはどんな場合でも針穿孔生地である。
【００３６】
透湿性・防水性膜１１６が、下部要素１１１と上部要素１１３との間に介在されており、かつ、底革１００に密閉状に封止されている。
【００３７】
この第２実施形態では、下部要素１１１の上部の平面拡張部分に沿って１つの部分１１７があり、その部分には、底革１００の外側とその部分１１７の内側との間に側方通気用要素１０６が設けられている。この側方通気用要素１０６は膜１１６に機能的に接合されている。
【００３８】
具体的に言えば、この第２実施形態では、前記部分１１７にはその中心部に中空領域１１７ａがあり、この中空領域は、前記側方通気用要素１０６がその上に設けられた端縁１１７ｂによって密閉状に区切られている。前記通気用要素は、中空領域１１７ａの内側と底革１００の外側とを機能的に連通させる貫通状の通気用通路１０７によって構成されている。格子のように構成された層状要素１２０が、空洞を形成しており、かつ、前記中空領域１１７ａの内側に配置された底革の拡張部分に対して実質的に直角に穿孔されている。
【００３９】
図４に示されて参照符号１００ａで表された前記第２実施形態１００の変形例には、格子層状の要素１２０の代わりに、透湿性要素１２０ａが備わっている。
【００４０】
この発明に係る底革の第３実施形態は、前記第２実施形態に関する変形例であり、図５に示されて参照符号２００によって表わされている。
【００４１】
この第３実施形態では、突出部２２０ａが、下部要素２１１の上方部分２１７の中心部に形成された中空領域（ここでは参照符号２１７ａによって表わされている）の内側から、底革の拡張部分に対して実質的に直角に延びている。前記突出部２２０ａには、前記中空領域２１７ａの深さに実質的に等しい高さがある。透湿性・防水性膜２１６の保護要素２１８が、突出部２２０ａの上に載るように配置されている。
【００４２】
この発明に係る底革の第４実施形態は、前記第２実施形態に関する変形例であり、図６に示されて参照符号３００によって表わされている。
【００４３】
この第４実施形態では、下部要素３１１の上方部分（ここでは参照符号３１７によって表わされている）は、上方部分３１７の横方向拡張部分の全体に沿って広がった対応する透湿性層状要素３２０によって構成されており、この場合には、側方通気用要素は透湿性層状要素３２０によって適切に（要素３２０は垂直方向および水平方向の両方へ透湿性がある）設けられている。透湿性層状要素３２０の上方には、保護要素３１８とともに膜３１６がある。
【００４４】
底革１００，２００，３００の相異なる実施形態は、図７、図８および図９において参照符号４００，５００，６００によってそれぞれ表わされている。これらの図によって、側方通気用要素４０６，５０６，６０６（それぞれの変形例により異なる）と、接地体をそれぞれ通過する孔４１５，５１５，６１５とが示されている。
【００４５】
他の変形例（図には示されていない）には、３次元生地から作られた他の透湿性快適層が含まれていてもよいが、これらの快適層は例えば、すでに説明されたかあるいはどのような場合にも底革の硬さの最適調整の要件に左右される主な透湿性快適層のすぐ下方に配置される。
【００４６】
この発明によれば、このように説明された底革で形成された靴がさらに提供される。
【００４７】
提案された図は、このように説明された底革を使用するサンダル型の靴の断面図であり、前記の図において、靴の甲革は参照符号５０，１５０，１５０ａ，２５０，３５０によってそれぞれ表わされている。前記甲革のフラップは公知の方法でそれぞれの底革に接合されている。
【００４８】
このように説明された底革のさまざまな層と要素との相互固定には、汗の流出および空気の通過を阻止するであろう透湿性のあるいは穿孔された層の上における接着剤の層の形成を回避するためのような接着剤によるスポット接合が含まれていてもよい。前記固定は、単に周辺（それゆえ、膜によってかつさまざまな孔によって占有された区域の外側）の接着剤接合によって、縫い目、熱成形を伴うヒートシール、あるいは他の公知の型のシステムによって達成することもできる。
【００４９】
実際に、このように説明された発明によれば、公知の型の透湿性・防水性底革において注目された問題が解決されることがわかった。具体的に言えば、この発明によれば、特にサンダル、サボなどのような開放靴用であるがこれに限定されることがなく、快適な適合性とともに足裏の最適な透湿性を可能にする靴用の透湿性・防水性底革が提供される。
【００５０】
この発明によれば、エアーメッシュ型の３次元生地によって得られた柔軟性足底要素が備わっており、足裏の皮膚と足底要素との間における最適な通気を可能にする底革が実際に提供される。しかも、前記３次元生地によれば、それには熱が保有されないので、周囲の配置によって引き起こされる詰物効果が回避される。
【００５１】
さらにまた、接地体によって閉鎖されたこの透湿性構造によれば、下向き方向における効果的な透湿と汗の発散とが可能になり、防水性膜によれば、地面に存在しているほこりおよび水分が足裏へ透過するのが防止されるとともに、同時に、透湿性であることによって汗の透過が可能になる。
【００５２】
接地体が垂直にあるいは側方に穿孔されていないときには、下向き方向に透湿性である底革を提供することは、下部要素が、前記接地体と透湿性・防水性膜との間に局在化された透湿性を上方領域に有していてもよいという事実に起因するときだけである。このようにして、通気が前記透湿性層を側方に通して生じる。
【００５３】
実際に、通気は、下部要素が少なくとも上方領域において透湿性である要素によって構成されているか、あるいは穿孔された（また、必要であればさらに透湿性の）要素によって構成されているかのいずれかによって生じる。
【００５４】
このように考え出されたこの発明は、すべてが添付の「特許請求の範囲」の範囲内に属する、きわめて多くの修正および変形を受けることができ、すべての細部は、技術的に同等な他の要素で置き換えることも可能である。実際のところ、用いられる材料は、それらが本質的でない使用に適合する限り、寸法とともに、要求と最新技術とに応じたどのようなものでもよい。
【００５５】
この出願が優先権を主張するイタリア特許出願ＰＤ２００３Ａ０００１６６号における開示は、引用によってこの明細書に組み入れられる。
【図面の簡単な説明】
【００５６】
【図１】図１は、この発明に係る底革の第１実施形態を使用するサンダル型の開放靴の縦断面図である。
【図２】図２は、図１の拡大図である。
【図３】図３は、この発明に係る底革の第２実施形態を使用する開放靴の横断面図である。
【図４】図４は、図３の底革の第２実施形態の変形例を使用する開放靴の一部の横断面図である。
【図５】図５は、この発明に係る底革の第３実施形態を使用する開放靴の一部の横断面図である。
【図６】図６は、この発明に係る底革の第４実施形態を使用する開放靴の一部の横断面図である。
【図７】図７は、先行図に関する変形例を使用する開放靴の一部の横断面図である。
【図８】図８は、先行図に関する変形例を使用する開放靴の一部の横断面図である。
【図９】図９は、先行図に関する変形例を使用する開放靴の一部の横断面図である。
【図１】
0004658932.tif 000002
【図２】
0004658932.tif 000003
【図３】
0004658932.tif 000004
【図４】
0004658932.tif 000005
【図５】
0004658932.tif 000006
【図６】
0004658932.tif 000007
【図７】
0004658932.tif 000008
【図８】
0004658932.tif 000009
【図９】
0004658932.tif 000010